(57)【要約】【課題】移動により視聴エリアが変わっても放送局が属する系列とリモコン番号の対応関係を維持する。【解決手段】移動後の視聴エリアにおけるデータ（（ｂ）欄）が放送波から取得され、またはプリセットチャンネルのデータの中からユーザにより選択されたとき、移動前のデータ（（ａ）欄）におけるａｆｆｉｌｉａｔｉｏｎ ｉｄとリモコン番号の関係が維持されるように、新たに取得または選択されたデータ（（ｂ）欄）のリモコン番号を変更して（（ｃ）欄）、格納する。【選択図】図６
2010035029.tif 000002
【特許請求の範囲】
【請求項１】
受信可能な複数の放送チャンネルのそれぞれについて、受信周波数を表わす物理チャンネル番号、ユーザが放送チャンネルを選択するときに用いるリモコン番号、および放送事業者が属する系列を識別することが可能な系列識別情報を含む第１のデータを、ユーザに放送チャンネルを選択させ選択されたチャンネルの放送を受信するために記憶する記憶手段と、
前記第１のデータが対象とする受信エリアと異なる受信エリアにおいて受信可能な複数の放送チャンネルのそれぞれについて、受信した放送に含まれている物理チャンネル番号、リモコン番号、および系列識別情報を含む第２のデータを取得するかまたは予め格納されている複数の受信エリアについてのデータの中から１つの受信エリアのデータを該第２のデータとしてユーザに選択させる取得または選択手段と、
前記第２のデータにおけるリモコン番号と系列識別情報の対応関係が前記第１のデータにおけるリモコン番号と系列識別情報の対応関係になるように第２のデータ内のリモコン番号を変更して、リモコン番号を変更した第２のデータを第１のデータとして前記記憶手段に記憶させるリモコン番号変更手段とを具備する、リモコン番号再割当て機能を有する受信機。
【請求項２】
受信機のユーザが入力した郵便番号または住所に基いて決定される第１のデータを初期値として前記記憶手段に記憶させる手段をさらに具備する請求項１記載の受信機。
【請求項３】
前記第１および第２のデータは受信エリアを識別する地域識別子をさらに含み、
前記取得または選択手段は、受信した放送に含まれている地域識別子が前記記憶手段に記憶される第１のデータに含まれる地域識別子と一致しないとき前記第２のデータの取得を自動的に行う自動取得手段を含む請求項１または２記載の受信機。
【請求項４】
受信可能な複数の放送チャンネルのそれぞれについて、受信周波数を表わす物理チャンネル番号、ユーザが放送チャンネルを選択するときに用いるリモコン番号、および放送事業者が属する系列を識別することが可能な系列識別情報を含む第１のデータを、ユーザに放送チャンネルを選択させ選択されたチャンネルの放送を受信するために記憶する記憶手段と、
前記第１のデータが対象とする受信エリアと異なる受信エリアにおいて受信可能な複数の放送チャンネルのそれぞれについて、受信した放送に含まれている物理チャンネル番号、リモコン番号、および系列識別情報を含む第２のデータを取得するかまたは予め格納されている複数の受信エリアについてのデータの中から１つの受信エリアのデータを該第２のデータとしてユーザに選択させる取得または選択手段と、
前記第２のデータにおけるリモコン番号と系列識別情報の対応関係が前記第１のデータにおけるリモコン番号と系列識別情報の対応関係になるように第２のデータ内のリモコン番号を変更して、リモコン番号を変更した第２のデータを第１のデータとして前記記憶手段に記憶させるリモコン番号変更手段とを具備する、リモコン番号再割当て機能を有する受信機をコンピュータに実現させるプログラム。
【発明の詳細な説明】
【技術分野】
【０００１】
本発明は、受信機、特に、受信により得られる情報の中に放送事業者が属する系列を識別できる情報が含まれている放送を受信する受信機、さらに特定すればワンセグ放送を受信する受信機に関する。
【背景技術】
【０００２】
携帯電話、ＰＤＡ（Personal Digital Assistants）などによるワンセグ放送の受信の普及により、移動中のわずかな空き時間にワンセグ放送を視聴することが可能となった。しかし、地域毎に放送局とそれに割り当てられたリモコン番号（ユーザが放送チャンネルを選択するときに使用する番号）及び実際の物理チャンネル番号が違うため、視聴エリア（受信エリア）を設定した地域から移動すると、ワンセグ放送を視聴するためには、ユーザは視聴エリアを再設定することになる。この際、地域毎に割当てられたリモコン番号と放送局が属する系列との対応関係は必ずしも移動前の視聴エリアと同じではない。すなわち、同じ系列に属する放送局に異なるリモコン番号が割り当てられているため、移動前と同じリモコン番号を選択しても異なる系列の放送局が選択されることになる。したがって、リモコン番号の配置をユーザの意図したようにするにはユーザが自分で編集する必要があり、使い勝手が悪かった。
【０００３】
【特許文献１】特開２００７−９６７６０号公報
【発明の開示】
【発明が解決しようとする課題】
【０００４】
したがって本発明の目的は、移動により視聴エリアが変わってもリモコン番号と放送局が属する系列との対応関係が維持される、リモコン番号再割当て機能を有する受信機を提供することにある。
【０００５】
本発明の付随的な目的は、移動により視聴エリアが変わったときユーザの操作によらず自動的に視聴エリアの再設定をすることのできる受信機を提供することにある。
【課題を解決するための手段】
【０００６】
前述の目的は、受信可能な複数の放送チャンネルのそれぞれについて、受信周波数を表わす物理チャンネル番号、ユーザが放送チャンネルを選択するときに用いるリモコン番号、および放送事業者が属する系列を識別することが可能な系列識別情報を含む第１のデータを、ユーザに放送チャンネルを選択させ選択されたチャンネルの放送を受信するために記憶する記憶手段と、前記第１のデータが対象とする受信エリアと異なる受信エリアにおいて受信可能な複数の放送チャンネルのそれぞれについて、受信した放送に含まれている物理チャンネル番号、リモコン番号、および系列識別情報を含む第２のデータを取得するかまたは予め格納されている複数の受信エリアについてのデータの中から１つの受信エリアのデータを該第２のデータとしてユーザに選択させる取得または選択手段と、前記第２のデータにおけるリモコン番号と系列識別情報の対応関係が前記第１のデータにおけるリモコン番号と系列識別情報の対応関係になるように第２のデータ内のリモコン番号を変更して、リモコン番号を変更した第２のデータを第１のデータとして前記記憶手段に記憶させるリモコン番号変更手段とを具備する、リモコン番号再割当て機能を有する受信機により達成される。
【０００７】
前述の付随的な目的は、前記第１および第２のデータが受信エリアを識別する地域識別子をさらに含み、前記取得または選択手段が、放送受信により取得される地域識別子が前記記憶手段に記憶される第１のデータに含まれる地域識別と一致しないとき前記第２のデータの取得を自動的に行う自動取得手段を含む受信機により達成される。
【発明を実施するための最良の形態】
【０００８】
図１にワンセグ放送を視聴することのできる携帯電話端末の構成を示す。なお、図中にはワンセグ放送のチャンネルを選択して受信しその映像を表示するために必要な構成部分のみが示されている。ワンセグチューナ部１０はユーザが選択したワンセグ放送の電波を受信し、ベースバンドに変換する。複号部１２にはベースバンドに変換された信号から映像・音声を復元し、放送波に多重された各情報要素を分離する。情報保存部１４には制御部１６の動作に必要なプログラムおよびデータが格納される。プリセットチャンネル保存部１８には、各視聴エリアにおいて受信可能な放送チャンネルのデータが予め格納されている。後に詳述するように、選択された視聴エリアのデータをプリセットチャンネル保存部１８から取り出して情報保存部１４の所定の領域に格納することにより、ワンセグ放送の視聴が可能になる。画面表示部２０は複号部１２において復元された映像を表示する。画面表示部２０はまた、キー入力部２２および制御部１６とともにユーザインターフェースを構成する。
【０００９】
図２はプリセットチャンネル保存部１８に格納されているデータの例を示す。（ａ）欄は北海道：札幌エリアのデータ、（ｂ）欄は関東広域エリアのデータである。
【００１０】
図中、「物理チャンネル」は受信周波数に対応して付された番号であり、物理チャンネルの番号により受信周波数が特定される。「リモコン番号」はユーザが放送チャンネルを選択するときに使用する番号である。「地域識別」は受信エリアを識別するために各受信エリアに与えられた０〜６２の整数である。「事業者名」は、例えば、各受信エリア内の放送事業者を識別するために受信エリア内の放送事業者に与えられた０〜１５の整数である「事業者識別」の形で格納される。“ａｆｆｉｌｉａｔｉｏｎ ｉｄ”は、各放送事業者がどの系列に属しているか、または、その放送チャンネルがどの系列の放送を流しているかを示す整数である。ワンセグの規格であるＡＲＩＢには、「ＡＲＩＢ  ＴＲ−Ｂ１４  第七欄９．２．４  ａｆｆｉｌｉａｔｉｏｎ ｉｄ」の項に、以下の様に定められている。
【００１１】
【表１】
2010035029.tif 000003
【００１２】
ワンセグ放送には前述の「リモコン番号」、「地域識別」、「事業者識別」および「ａｆｆｉｌｉａｔｉｏｎ ｉｄ（系列識別）」の情報が情報要素として放送波に多重化されて含まれている。なお、系列に関しては、それぞれの地域の各放送事業者がどの系列の番組を放送しているかが予め知られているので、「ａｆｆｉｌｉａｔｉｏｎ ｉｄ」に依らずとも「地域識別」と「事業者識別」の組み合わせからその放送チャンネルではどの系列の番組を放送しているかを知ることができる。
【００１３】
図３はワンセグ放送の視聴開始前に行なわれる初期設定の処理の流れの一例を示すフローチャートである。また、図４はそれに関連する画面の一例を示す。図３において、最初に、住所または郵便番号が入力済であるかが判定される（ステップ１０００）。この住所または郵便番号とは、ユーザが図４のプロフィール登録画面３０で登録するプロフィール情報に含まれる住所または郵便番号である。ステップ１０００において住所または郵便番号が入力済であれば、その住所または郵便番号から受信エリアを決定し（ステップ１００２）、決定された受信エリアのデータをプリセットチャンネル保存部１８（図１）から取り出して情報保存部１４へ格納し（ステップ１００４）、設定確認画面３２（図４）を表示して（ステップ１００６）処理を終了する。ここで、登録されている住所または郵便番号が北海道：札幌エリア内の住所または郵便番号であれば、図２の（ａ）欄に示すデータがプリセットチャンネル保存部１８から取り出されて情報保存部１４に格納される。これにより、ユーザが例えばリモコン番号「１」を選択することにより物理チャンネル「１９」がワンセグチューナ部１０に設定されて、北海道放送の番組が受信される。
【００１４】
ステップ１０００において住所も郵便番号も未入力である場合には、ユーザに受信エリアを選択させる画面（図示せず）を表示してユーザに受信エリアを選択させる（ステップ１００８）。ユーザが受信エリアを選択すると、プリセットチャンネル保存部１８に格納されている当該地域のデータが読み出され、それに基づいて図４に参照番号３４で示すようなリモコン番号一覧画面が表示される。ユーザはこのリモコン番号一覧画面３４の上でリモコン番号の割り当てを好みにより編集することが可能である（ステップ１０１０）。リモコン番号一覧画面３４上の「登録」ボタンが押されると、データを情報保存部１４に格納し（ステップ１０１２）、設定確認画面３２を表示して（ステップ１００６）処理を終了する。
【００１５】
情報保存部１４に格納される放送局のデータは、移動により受信エリアが変わるとそれに応じて変更しなければならない。図５はそのための手段の１つである、ユーザからの要求に従って実行される「自動チャンネルスキャン」における処理の流れを示す。まず、ワンセグチューナ部１０および複号部１２を介して物理チャンネルを全範囲にわたってスキャンすることにより現在受信可能な全ての放送波を検出し、それに多重されている図２のデータを取得する（ステップ１１００）。取得されたデータに含まれる地域識別が、情報保存部に格納されているものと異なっているかを判定し（ステップ１１０２）、異なっていれば、取得したデータのリモコン番号を、系列局とリモコン番号の関係が変わらないように再設定し（ステップ１１０４）、情報保存部１４へ格納し（ステップ１１０６）、確認画面３２（図４）を表示して（ステップ１１０８）、処理を終了する。
【００１６】
北海道：札幌エリアから関東広域エリアへ移動する場合を例にとって具体的に説明する。情報保存部１４には図６の（ａ）欄に示す北海道：札幌エリアのデータが格納されている。関東広域エリアに移動して自動チャンネルスキャンを実行すると（ｂ）欄に示すデータが取得される（図５：ステップ１１００）。取得される地域識別は関東広域エリアを表わす「１」であり、情報保存部１４に保存されているデータの地域識別は北海道：札幌エリアを表わす「１０」で異なっているから（ステップ１１０２）、ステップ１１０４以降の処理へ進み、取得したデータについて、図６の（ｃ）欄に示すようなリモコン番号の再設定が行なわれる。すなわち、（ａ）欄のデータにおいて、ａｆｆｉｌｉａｔｉｏｎ ｉｄが３（東京放送）である放送局に対してはリモコン番号「１」が与えられていたので、（ｂ）欄のデータにおいてａｆｆｉｌｉａｔｉｏｎ ｉｄが３の「東京放送」のリモコン番号は（ｃ）欄に示すように「６」から「１」へ変更される、（ａ）欄においてａｆｆｉｌｉａｔｉｏｎ ｉｄが１である放送局に対してはリモコン番号「２」が与えられており、（ｂ）欄のデータにおいてもａｆｆｉｌｉａｔｉｏｎ ｉｄ「１」に対してリモコン番号「２」であるので、これについては変更しない。なお、前回のデータ（（ａ）欄）にはないａｆｆｉｌｉａｔｉｏｎ ｉｄを有する放送局が存在している場合や同一のａｆｆｉｌｉａｔｉｏｎ ｉｄを有する放送局が複数受信される場合には、空いているリモコン番号を割り当てるようにすれば良い。以上のようにしてリモコン番号が変更された（ｃ）欄のデータが情報保存部１４に格納される（ステップ１１０６）。
【００１７】
図７は、受信エリア変更の際のデータ変更のもう１つの手段である「プリセットチャンネル再設定」によるデータの変更の処理手順を示す。まず、ユーザに受信エリアを選択させる画面（図示せず）を表示してユーザに受信エリアを選択させる（ステップ１２００）。ユーザが受信エリアを選択すると選択された受信エリアのデータをプリセットチャンネル保存部１８から読み出し（ステップ１２０２）、その中の地域識別を情報保存部１４に格納されている地域識別と比較し（ステップ１２０４）、異なっていれば、プリセットチャンネル保存部１８から読み出したデータにおいて、図５のステップ１１０４で説明した処理と同様な処理によりリモコン番号の再設定を行う（ステップ１２０６）、そしてリモコン番号の再設定を行ったデータを情報保存部１４へ格納し（ステップ１２０８）、確認画面を表示して（ステップ１２１０）、処理を終了する。
【００１８】
図８はワンセグ放送の視聴開始時に受信エリアが変わったことを検出して受信エリアの変更を自動的に実行する処理を示す。
【００１９】
ユーザがワンセグ放送の視聴開始を選択すると、ワンセグ視聴起動画面３６（図９）を表示し（ステップ１２００）、現在選択されている放送波を受信する（ステップ１３０２）。放送波に多重されている地域識別が情報保存部１４に格納されている地域識別と異なっていれば（ステップ１３０４）、自動チャンネルスキャン開始画面３８（図９）を表示し（ステップ１３０６）、受信可能な全放送局をスキャンして放送波に多重されているデータを取得する（ステップ１３０８）。スキャン中にはスキャン中画面４０が表示される。取得したデータについて、図５のステップ１１０４と同様な処理によりリモコン番号の再設定を行い（ステップ１３１０）、情報保存部１４へ格納して（ステップ１３１２）ワンセグ視聴を開始する（ステップ１３１４）。
【００２０】
ステップ１３０２において移動前の受信エリアで視聴していた放送チャンネルの物理チャンネルと同じ番号の物理チャンネルの放送局が移動後の受信エリアに存在する場合には放送波を受信することができるので受信エリアが変わったことを検出できる。例えば、図６において、移動前の北海道：札幌エリアで物理チャンネル「２１」の札幌テレビを最後に視聴していた場合、移動後の関東広域エリアでは物理チャンネル「２１」のフジテレビが受信されるので受信エリアが変わったことを検出することができる。しかしながら、移動前に例えば物理チャンネル「１９」の北海道放送を受信していた場合、移動後の関東広域エリアでは物理チャンネル「１９」の放送局は存在しないので移動後の受信エリアの地域識別を取得することができない。
この問題に対処するため、ステップ１３０２において放送波を受信できないとき、受信エリアが変わったと判断するようにしても良い。しかしながら、トンネル内などの受信状態が悪化したときとの区別ができず、そのたびに時間のかかる自動チャンネルスキャンが開始されるという煩わしさを生じるので、これを回避するため、例えば、視聴開始時の受信不能が３回連続した時に受信エリアが変わったと判断するようにしても良い。或いはまた、ステップ１３０２において放送を受信できないとき、ユーザがリモコン番号を変更することにより放送波が受信されるのを待ってステップ１３０４の処理に移行するようにしても良い。
【００２１】
以上説明した処理は、情報保存部１４のＲＯＭに保存され、制御部１６のＣＰＵにより読み出して実行されるソフトウェアプログラムにより実現することが可能である。
【図面の簡単な説明】
【００２２】
【図１】ワンセグ放送が視聴可能な携帯電話端末のハードウェアの構成を示すブロック図である。
【図２】プリセットチャンネル保存部１８に格納されるデータの構成を示す図である。
【図３】初期設定の処理のフローチャートである。
【図４】初期設定の処理において表示される画面の一例を示す図である。
【図５】「自動チャンネルスキャン」の処理のフローチャートである。
【図６】リモコン番号の再割当てを説明する図である。
【図７】「プリセットチャンネル再設定」の処理のフローチャートである。
【図８】受信エリアが変更されたことを検出することによる「自動チャンネルスキャン」の自動実行の処理のフローチャートである。
【図９】図８の処理において表示される画面の一例を示す図である。
【図１】
2010035029.tif 000004
【図２】
2010035029.tif 000005
【図３】
2010035029.tif 000006
【図４】
2010035029.tif 000007
【図５】
2010035029.tif 000008
【図６】
2010035029.tif 000009
【図７】
2010035029.tif 000010
【図８】
2010035029.tif 000011
【図９】
2010035029.tif 000012